(57)【要約】  シャフトの回転角度を規制する規制部材で摩耗粉が発生しても、電気特性の悪化を防止することの可能な回転式電子部品および回転エンコーダを提供する。本発明の回転式電子部品および回転エンコーダは、シャフトと、前記シャフトを回転可能および上下移動可能に挿通状態で保持するとともに、前記シャフトの回転方向および回転角度を検知するシャフト回転検知機構であって、前記シャフトと一体的に回転可能に前記シャフトに取り付けられたロータと、該ロータに取り付けられた摺動子と、該摺動子が摺接する固定接点部材を有する該シャフト回転検知機構と、少なくとも１つの隔離壁を挟んで前記抵抗体パターンとは反対側に設けられ、前記シャフトの回転角度を規制する規制部材と、前記シャフト回転検知エンコーダ機構に挿通された前記シャフトの端部により押圧されるスイッチ機構とを有する。
2016158657.tif 000002
【特許請求の範囲】
【請求項１】
シャフトと、
前記シャフトを回転可能および上下移動可能に挿通状態で保持するとともに、前記シャフトの回転方向および回転角度を検知するシャフト回転検知機構であって、前記シャフトと一体的に回転可能に前記シャフトに取り付けられたロータと、該ロータに取り付けられた摺動子と、該摺動子が摺接する固定接点部材を有する該シャフト回転検知機構と、
少なくとも１つの隔離壁を挟んで前記固定接点部材とは反対側に設けられ、前記シャフトの回転角度を規制する規制部材と、
前記シャフト回転検知機構に挿通された前記シャフトの端部により押圧されるスイッチ機構とを有する、回転式電子部品。
【請求項２】
シャフトと、
前記シャフトを回転可能および上下移動可能に挿通状態で保持するとともに、前記シャフトの回転方向および回転角度を検知するエンコーダ機構であって、前記シャフトと一体的に回転可能に前記シャフトに取り付けられたロータと、該ロータに取り付けられた摺動子と、該摺動子が摺接する固定接点部材を有する該エンコーダ機構と、
少なくとも１つの隔離壁を挟んで前記固定接点部材とは反対側に設けられ、前記シャフトの回転角度を規制する規制部材と、
前記エンコーダ機構に挿通された前記シャフトの端部により押圧されるスイッチ機構とを有する、回転エンコーダ。
【請求項３】
前記エンコーダ機構が基板を有し、前記固定接点部材が前記基板上に設けられた抵抗体パターンであり、前記基板が前記少なくとも１つの隔離壁の１つを兼ねる、請求項２記載の回転エンコーダ。
【発明の詳細な説明】
【技術分野】
【０００１】
本発明は、回転式電子部品および回転エンコーダに関する。
【背景技術】
【０００２】
従来、回転式電子部品の一例としての回転エンコーダとしては、例えば、特開２００４−９５２４２号公報（特許文献１）に記載されたものがある。特許文献１の回転エンコーダは、シャフトと、シャフトの回転角度を規制する規制部材と、シャフトの回転方向および回転角度を検知するエンコーダ機構と、シャフトに押圧されるスイッチ機構とを有している。【０００３】
特許文献１では、エンコーダ機構は、電極パターンが形成されたエンコーダ基板と、シャフトに取り付けられたロータと、該ロータの下面に取り付けられた摺動子を有しており、摺動子は電極パターンと摺接する。そして、規制部材は、ロータの外周面に接触してシャフトの回転角度を規制している。
【先行技術文献】
【特許文献】
【０００４】
【特許文献１】特開２００４−９５２４２号公報
【発明の概要】
【発明が解決しようとする課題】
【０００５】
しかしながら、従来の回転エンコーダでは、ロータと規制部材が摺動すると、ロータ材料および／または規制部材の摩耗粉が発生する。そして、摩耗粉はエンコーダ基板へと侵入し、電極パターンと摺動子との接触を阻害し、電気特性を悪化させる場合がある。【０００６】
そこで、本発明の課題は、シャフトの回転角度を規制する規制部材で摩耗粉が発生しても、電気特性の悪化を防止することの可能な回転式電子部品および回転エンコーダを提供することである。
【課題を解決するための手段】
【０００７】
前記の課題を解決するため、本発明の回転式電子部品は、
シャフトと、
前記シャフトを回転可能および上下移動可能に挿通状態で保持するとともに、前記シャフトの回転方向および回転角度を検知するシャフト回転検知機構であって、前記シャフトと一体的に回転可能に前記シャフトに取り付けられたロータと、該ロータに取り付けられた摺動子と、該摺動子が摺接する固定接点部材を有する該シャフト回転検知機構と、
少なくとも１つの隔離壁を挟んで前記抵抗体パターンとは反対側に設けられ、前記シャフトの回転角度を規制する規制部材と、
前記シャフト回転検知機構に挿通された前記シャフトの端部により押圧されるスイッチ機構とを有することを特徴とする。【０００８】
本発明の回転式電子部品によれば、シャフトの回転角度を規制する規制部材から摩耗粉が発生したとしても、規制部材が、少なくとも１つの隔離壁を挟んで前記抵抗体パターンとは反対側に設けられているので、隔離壁が摩耗粉の侵入を防止することができる。これにより、摩耗粉が電極パターンと摺動子との接触を阻害することを防止できるので、回転式電子部品の電気特性の悪化を防止することができる。【０００９】
また、本発明の回転エンコーダは、
シャフトと、
前記シャフトを回転可能および上下移動可能に挿通状態で保持するとともに、前記シャフトの回転方向および回転角度を検知するエンコーダ機構であって、前記シャフトと一体的に回転可能に前記シャフトに取り付けられたロータと、該ロータに取り付けられた摺動子と、該摺動子が摺接する固定接点部材を有する該エンコーダ機構と、
少なくとも１つの隔離壁を挟んで前記抵抗体パターンとは反対側に設けられ、前記シャフトの回転角度を規制する規制部材と、
前記エンコーダ機構に挿通された前記シャフトの端部により押圧されるスイッチ機構とを有することを特徴とする。【００１０】
本発明の回転エンコーダによれば、シャフトの回転角度を規制する規制部材から摩耗粉が発生したとしても、規制部材が、少なくとも１つの隔離壁を挟んで前記抵抗体パターンとは反対側に設けられているので、隔離壁が摩耗粉の侵入を防止することができる。これにより、摩耗粉が電極パターンと摺動子との接触を阻害することを防止できるので、エンコーダの電気特性の悪化を防止することができる。【００１１】
また、一実施形態として、前記エンコーダ機構が基板を有し、前記固定接点部材が前記基板上に設けられた抵抗体パターンであり、前記基板が前記少なくとも１つの隔離壁の１つを兼ねてもよい。【００１２】
前記一実施形態によれば、基板が隔離壁を兼ねることで、別途エンコーダ機構に隔離壁を設ける必要がないので、エンコーダ機構を小型化して、回転エンコーダをさらに小型化することが可能となる。
【発明の効果】
【００１３】
本発明の回転式電子部品および回転エンコーダによれば、規制部材で摩耗粉が発生しても、電気特性の悪化を防止することが可能となる。
【図面の簡単な説明】
【００１４】
【図１】本発明の一実施形態の回転式電子部品としての回転エンコーダの上方からみた斜視図である。
【図２】回転エンコーダの下方からみた斜視図である。
【図３】回転エンコーダの上方からみた分解斜視図である。
【図４】回転エンコーダの下方からみた分解斜視図である。
【図５】回転エンコーダの断面図である。
【図６】エンコーダ機構の下方からみた分解斜視図である。
【図７】エンコーダ機構の下方からみた斜視図である。
【図８】エンコーダ機構の等価回路を示す回路図である。
【図９】エンコーダ機構の出力波形を示す波形図である。
【発明を実施するための形態】
【００１５】
以下、本発明を図面を参照してより詳細に説明する。
本発明の回転式電子部品は、シャフトと、前記シャフトを回転可能および上下移動可能に挿通状態で保持するとともに、前記シャフトの回転方向および回転角度を検知するシャフト回転検知機構であって、前記シャフトと一体的に回転可能に前記シャフトに取り付けられたロータと、該ロータに取り付けられた摺動子と、該摺動子が摺接する固定接点部材を有する該シャフト回転検知機構と、少なくとも１つの隔離壁を挟んで前記抵抗体パターンとは反対側に設けられ、前記シャフトの回転角度を規制する規制部材と、前記シャフト回転検知機構に挿通された前記シャフトの端部により押圧されるスイッチ機構とを有することを特徴とするものである。
【００１６】
ここで、本発明の回転式電子部品に用いる固定接点部材は、固定された接点部材であり、シャフトとともに回転する摺動子が摺接する接点部材である。固定接点部材は、基板等の支持体上に設けた種々の形状を有する導電性部材である形態、例えば抵抗体パターンであってもよく、あるいは、固定接点部材自身が支持体を兼ねる形態でもよい。以下の実施形態では、固定接点部材に抵抗体パターンを用いた例について説明する。
【００１７】
図１は、本発明の一実施形態の回転式電子部品の一例としての回転エンコーダの上方からみた斜視図である。図２は、回転エンコーダの下方からみた斜視図である。図３は、回転エンコーダの上方からみた分解斜視図である。図４は、回転エンコーダの下方からみた分解斜視図である。図５は、回転エンコーダの断面図である。
【００１８】
各図において、回転エンコーダの幅方向をＸ方向とし、回転エンコーダの長さ方向をＹ方向とする。回転エンコーダの高さ方向をＺ方向とする。Ｚ方向の正方向を上側とし、Ｚ方向の負方向を下側とする。
【００１９】
図１から図５に示すように、回転エンコーダ１は、ケーシング２と、回転軸を有しかつ該回転軸に沿って移動可能なシャフト３と、シャフト３の回転角度を規制する規制部材５と、シャフト３の回転方向および回転角度を検知するエンコーダ機構６と、シャフト３の回転軸に沿った移動によりシャフト３に押圧されるスイッチ機構７とを有する。規制部材５とエンコーダ機構６とスイッチ機構７とは、シャフト３の軸に沿って、上側から下側に順に配置されている。
【００２０】
ケーシング２は、例えば、金属から構成される。ケーシング２は、シャフト３と規制部材５とエンコーダ機構６とスイッチ機構７とを一体に組み付ける。
【００２１】
ケーシング２は、上壁２１と、上壁２１のＸ方向の両側に設けられ下方に延在する側壁２２，２２と、上壁２１のＹ方向の正方向に設けられ下方に延在する突壁２３と、上壁２１のＹ方向の負方向に設けられ下方に延在する突片２４とを有する。上壁２１は、孔部２１ａを有する。側壁２２は、下側に孔部２２ａと上側に溝部２２ｂとを有する。孔部２２ａの内面には、ケーシング２の内側に突出する係止部２２ｃが設けられている。突壁２３は、上壁２１のＸ方向の全長にわたって延在している。突片２４は、上壁２１のＸ方向の中央部に設けられている。
【００２２】
シャフト３は、例えば、樹脂から構成される。シャフト３は、操作部３５と歯車状の外周面３０と端部３６とを有する。操作部３５と歯車状の外周面３０と端部３６とは、回転軸に沿って、上側から下側に順に配置されている。操作部３５は、シャフト３の回転の目印となる切欠を有する。歯車状の外周面３０は、複数の凸部３１および凹部３２を含む。複数の凸部３１および凹部３２は、周方向に交互に配列されている。操作部３５は、ケーシング２の上壁２１の孔部２１ａを貫通しており、使用者は、ケーシング２の外側から操作部３５を操作することができる。
【００２３】
規制部材５は、例えば、金属から構成される。規制部材５は、例えば、板バネである。規制部材５は、シャフト３の外周面３０に接触可能となる第１接点部５１および第２接点部５２を有する。第１接点部５１および第２接点部５２は、シャフト３の外周面３０の凸部３１に弾発付勢して接触する一方、シャフト３の外周面３０の凹部３２に嵌まってシャフト３の回転角度を規制する。第１接点部５１および第２接点部５２は、折り曲げられて構成されている。第１接点部５１および第２接点部５２は、ほぼ対向する位置にある。すなわち、第１接点部５１および第２接点部５２は、シャフト３の回転中心を含む同一の直線上に位置している。ここで、規制部材は、少なくとも１つの隔離壁を挟んで抵抗体パターンとは反対側に設けられ、シャフトの回転角度を規制している。隔離壁は、抵抗体パターンと規制材料を隔離して、摩耗粉が抵抗体パターン側に侵入することを防止する機能を有する。本実施形態では、少なくとも１つの隔離壁として、後述のエンコーダ基板を用いた例を説明するが、種々の絶縁材料、例えば後述の絶縁シートを１枚または複数枚用いることもできる。
【００２４】
図に示すように、規制部材５は、エンコーダ基板６０を挟んで抵抗体パターン６１，６２，６３とは反対側に設けられている。これにより、規制部材５とシャフト３の外周面３０との接触により、シャフト３の外周面３０から摩耗粉が発生しても、摩耗粉は、エンコーダ基板６０に阻止されて、抵抗体パターン６１，６２，６３側に侵入しない。したがって、摩耗粉によるエンコーダ機構６の電気特性の悪化を防止することができる。なお、本実施形態では、第１接点部５１および第２接点部５２が、ほぼ対向する位置にあるので、規制部材５とシャフト３の外周面３０との接触による摩擦力は、第１接点部５１および第２接点部５２が対向しない場合に比べ、より均等に発生する。これにより、第１接点部５１および第２接点部５２が対向しない場合に比べて摩耗粉の発生を抑制できる。
【００２５】
エンコーダ機構６は、シャフト３を回転可能および上下移動可能に挿通状態で保持し、シャフト３の回転方向および回転角度を検知するものであり、抵抗体パターン６１，６２，６３と該抵抗体パターン６１，６２，６３に電気的に接続されるエンコーダ端子６０１，６０２，６０３を有するエンコーダ基板６０と、シャフト３とともに回転可能となるようにシャフト３に取り付けられたロータ６５と、ロータ６５に取り付けられ抵抗体パターン６１，６２，６３と摺接する摺動子６６とを有する。
【００２６】
エンコーダ基板６０は、例えば、樹脂から構成される。エンコーダ基板６０の上面には、凹部６０ａが設けられ、凹部６０ａに、規制部材５が嵌め込まれている。エンコーダ基板６０のＸ方向の両側には、突部６０ｂが設けられている。突部６０ｂは、ケーシング２の側壁２２の溝部２２ｂに嵌め込まれている。エンコーダ基板６０のＹ方向の両側は、突壁２３と突片２４によって挟まれている。このように、エンコーダ基板６０は、側壁２２の溝部２２ｂと突壁２３と突片２４とによって、ケーシング２に固定されている。言い換えると、側壁２２の溝部２２ｂと突壁２３と突片２４とは、エンコーダ基板６０を固定するエンコーダ固定部を構成する。エンコーダ基板６０の中央には、シャフト３を挿通状態で保持する挿通孔となる孔部６４が形成されている。
【００２７】
抵抗体パターン６１，６２，６３は、エンコーダ基板６０の下面に設けられている。抵抗体パターン６１，６２，６３は、シャフト３の回転方向および回転角度を検知するためのものである。第１抵抗体パターン６１と第２抵抗体パターン６２と第３抵抗体パターン６３とは、環状に形成され、同心状に配置されている。第１抵抗体パターン６１と第２抵抗体パターン６２と第３抵抗体パターン６３とは、径方向の外側から内側に順に配置されている。第１抵抗体パターン６１と第２抵抗体パターン６２とは、それぞれ、周方向に間隔を設けて形成されている。第３抵抗体パターン６３は、連続的に形成されている。
【００２８】
エンコーダ端子６０１，６０２，６０３は、エンコーダ基板６０にインサート成形されている。第１エンコーダ端子６０１は、第１抵抗体パターン６１に電気的に接続され、第２エンコーダ端子６０２は、第２抵抗体パターン６２に電気的に接続され、第３エンコーダ端子６０３は、第３抵抗体パターン６３に電気的に接続されている。
【００２９】
ロータ６５は、シャフト３に対して、周方向に位置決めされ、かつ、軸方向に移動可能となる。具体的に述べると、ロータ６５は、Ｄ形状の孔部６５ａを有する。シャフト３の端部３６の外周面は、Ｄ形状に形成されている。Ｄ形状の端部３６が、Ｄ形状の孔部６５ａに嵌合されて、ロータ６５は、シャフト３に対して周方向に固定され軸方向に固定されない。
【００３０】
ロータ６５は、略長円形状に形成されている。ロータ６５は、ロータ６５の外径が長径となる長径部６５１と、ロータ６５の外径が短径となる短径部６５２とを有する。長径部６５１の長さは、対向する側壁２２の係止部２２ｃの間の隙間よりも大きく、短径部６５２の長さは、対向する側壁２２の係止部２２ｃの間の隙間よりも小さい。言い換えると、係止部２２ｃは、短径部６５２が係止しないで離脱され、かつ、長径部６５１がロータ６５の回転により係脱可能となるように、構成されている。
【００３１】
摺動子４は、例えば、金属から構成される。摺動子６６は、ロータ６５の上面の２つの突部６５ｂに固定される。摺動子６６は、環状に形成される。摺動子６６は、第１接点部６６１と第２接点部６６２と第３接点部６６３とを有する。第１接点部６６１と第２接点部６６２と第３接点部６６３とは、径方向の外側から内側に順に配置されている。第１接点部６６１と第２接点部６６２と第３接点部６６３とは、導通している。第１接点部６６１は、第１抵抗体パターン６１に接触可能となり、第２接点部６６２は、第２抵抗体パターン６２に接触可能となり、第３接点部６６３は、第３抵抗体パターン６３に接触可能となる。
【００３２】
スイッチ機構７は、スイッチ基板７０と、スイッチ基板７０に設けられた第１から第３スイッチ端子７０１，７０２，７０３と、スイッチ基板７０に設けられ、シャフト３の端部３６に押圧される導電体７１とを有する。導電体７１は、第１、第２スイッチ端子７０１，７０２に電気的に接続される。導電体７１は、シャフト３の端部３６に押圧されて、第３スイッチ端子７０３に電気的に接続され、第１、第２スイッチ端子７０１，７０２と第３スイッチ端子７０３とを導通する。第１、第２スイッチ端子７０１，７０２と第３スイッチ端子７０３とが導通すると、スイッチ信号がオンとなる。例えば、スイッチ信号のオンにより、各機能が動作する。なお、第１、第２スイッチ端子７０１，７０２のうちの一方のスイッチ端子のみ設けてもよい。
【００３３】
スイッチ基板７０のＸ方向の両側には、突部７０ｂが設けられている。突部７０ｂは、ケーシング２の側壁２２の孔部２２ａに嵌め込まれている。このように、スイッチ基板７０は、側壁２２の孔部２２ａによって、ケーシング２に固定されている。言い換えると、側壁２２の孔部２２ａは、スイッチ基板７０を固定するスイッチ固定部を構成する。
【００３４】
スイッチ基板７０の下面のＸ方向の一辺には、段部７０ｃが設けられている。段部７０ｃには、折り曲げられたエンコーダ端子６０１，６０２，６０３の端部が、係止している。つまり、エンコーダ基板６０とスイッチ基板７０とは、折り曲げられたエンコーダ端子６０１，６０２，６０３によって、一体に抱えられている。
【００３５】
段部７０ｃの深さは、エンコーダ端子６０１，６０２，６０３の厚みよりも深い。これにより、スイッチ基板７０の下面を実装基板に設置したとき、エンコーダ端子６０１，６０２，６０３でなく、スイッチ基板７０の下面を設置面とできる。
【００３６】
第１から第３スイッチ端子７０１，７０２，７０３は、スイッチ基板７０にインサート成形されている。第３スイッチ端子７０３は、第１スイッチ端子７０１と第２スイッチ端子７０２との間に、位置する。
【００３７】
導電体７１は、弾性を有する。導電体７１は、ドーム状に形成されている。導電体７１は、スイッチ基板７０の上面の凹部７０ａに嵌め込まれている。
【００３８】
導電体７１の周縁部分７１ａは、第１、第２スイッチ端子７０１，７０２に電気的に接続されている。導電体７１の天頂部分７１ｂは、導電体７１の自由状態で、第３スイッチ端子７０３から離隔する一方、エンコーダ機構７を貫通したシャフト３の端部３６に押圧されて第３スイッチ端子７０３に電気的に接続される。
【００３９】
つまり、シャフト３を下側に押圧すると、シャフト３の端部３６が、導電体７１の天頂部分７１ｂを押圧して、導電体７１の天頂部分７１ｂが、第３スイッチ端子７０３に電気的に接続される。これにより、第１、第２スイッチ端子７０１，７０２と第３スイッチ端子７０３とが、電気的に接続されて、スイッチ信号がオンとなる。
【００４０】
一方、シャフト３の下側への押圧を解除すると、導電体７１が自由状態に戻ることで、シャフト３が上側に移動し、導電体７１の天頂部分７１ｂが、第３スイッチ端子７０３から離隔する。これにより、第１、第２スイッチ端子７０１，７０２と第３スイッチ端子７０３とが、電気的に接続されず、スイッチ信号がオフとなる。
【００４１】
ここで、ロータ６５（摺動子６６）は、抵抗体パターン６１，６２，６３よりも、スイッチ機構７側（下側）に位置している。これにより、シャフト３をスイッチ機構７側に押圧したとき、ロータ６５が下側に引っ張られても、摺動子６６は、抵抗体パターン６１，６２，６３から離れる方向に力を受ける。このため、摺動子６６は、抵抗体パターン６１，６２，６３に押圧されて変形することがなく、エンコーダ機構６の出力の信頼性を維持できる。
【００４２】
図６は、エンコーダ機構６の下方からみた分解斜視図である。図６に示すように、エンコーダ基板６０の下面には、第１、第２、第３電極部６７１，６７２，６７３が設けられている。第１電極部６７１と第２電極部６７２と第３電極部６７３とは、環状に形成され、同心状に配置されている。第１電極部６７１と第２電極部６７２と第３電極部６７３とは、径方向の外側から内側に順に配置されている。第１電極部６７１は、第１エンコーダ端子６０１の端部６０１ａに電気的に接続され、第２電極部６７２は、第２エンコーダ端子６０２の端部６０２ａに電気的に接続され、第３電極部６７３は、第３エンコーダ端子６０３の端部６０３ａに電気的に接続されている。
【００４３】
第１、第２、第３電極部６７１，６７２，６７３上には、絶縁シート６８が積層されている。絶縁シート６８は、第１電極部６７１が周方向に間欠的に露出し、かつ、第２電極部６７２が周方向に間欠的に露出するように、第１電極部６７１および第２電極部６７２を覆う。つまり、絶縁シート６８は、周方向に間欠的に配置される複数の孔部６８ａを有し、第１電極部６７１および第２電極部６７２が、絶縁シート６８の孔部６８ａから、露出する。第３電極部６７３は、絶縁シート６８に覆われていない。
【００４４】
第１電極部６７１が絶縁シート６８から露出している部分に第１抵抗体パターン６１を設け、第２電極部６７２が絶縁シート６８から露出している部分に第２抵抗体パターン６２を設け、第３電極部６７３に第３抵抗体パターン６３を設けている。
【００４５】
これにより、第１抵抗体パターン６１は、第１電極部６７１を介して、第１エンコーダ端子６０１に電気的に接続され、第２抵抗体パターン６２は、第２電極部６７２を介して、第２エンコーダ端子６０２に電気的に接続され、第３抵抗体パターン６３は、第３電極部６７３を介して、第３エンコーダ端子６０３に電気的に接続される。
【００４６】
図７は、エンコーダ機構６の下方からみた斜視図である。図７に示すように、摺動子６６の第１接点部６６１は、第１抵抗体パターン６１に対応した位置にあり、摺動子６６の第２接点部６６２は、第２抵抗体パターン６２に対応した位置にあり、摺動子６６の第３接点部６６３は、第３抵抗体パターン６３に対応した位置にある。
【００４７】
そして、摺動子６６の回転により、第１接点部６６１は、第１抵抗体パターン６１と絶縁シート６８とに交互に接触し、第２接点部６６２は、第２抵抗体パターン６２と絶縁シート６８とに交互に接触する。第３接点部６６３は、常時、第３抵抗体パターン６３に接触している。つまり、摺動子６６の回転により、第１エンコーダ端子６０１と第３エンコーダ端子６０３とが、間欠的に電気的に接続され、第２エンコーダ端子６０２と第３エンコーダ端子６０３とが、間欠的に電気的に接続される。
【００４８】
図８は、エンコーダ機構６の等価回路を示す回路図である。図９は、エンコーダ機構６の出力波形を示す波形図である。図８と図９に示すように、第１エンコーダ端子６０１と第３エンコーダ端子６０３とが、電気的に接続されると、Ａ点とＣ点の間に電流が流れて、Ａ信号がオンとなる。第２エンコーダ端子６０２と第３エンコーダ端子６０３とが、電気的に接続されると、Ｂ点とＣ点の間に電流が流れて、Ｂ信号がオンとなる。
【００４９】
摺動子６６の時計回り方向の回転において、Ａ信号のオフの始まりから次のオフの始まりまでの摺動子６６の回転角度は、６０°となる。Ｂ信号についても同様である。また、Ａ信号のオフの始まりとＢ信号のオフの始まりのずれは、摺動子６６の回転角度において、１５°となる。そして、摺動子６６の１回転（つまり、摺動子６６の回転角度は、３６０°である）において、Ａ信号およびＢ信号のオンとオフの組み合わせの変化は、２４に分けられる。つまり、摺動子６６の１回転において、摺動子６６の回転角度が１５°ごとに変化することを判断できる。したがって、Ａ信号とＢ信号の変化を判断することで、摺動子６６の回転方向と回転角度（回転量）を判断できる。
【００５０】
上述の実施形態では、固定接点部材に抵抗体パターンを用いた例について説明したが、固定接点部材自身が支持体を兼ねる形態でも、同様の効果を得ることができる。例えば、樹脂基材に導電性材料を含浸した部材、具体例を挙げるとフェノール系樹脂基材にカーボンブラックを含浸させた材料を、上述の実施形態で用いたエンコーダ基板に代えて用いることができる。
【００５１】
また、上述の実施形態では、回転式電子部品の一例として、回転エンコーダとしたが、ポテンショメータやトリマーコンデンサなどの回転式電子部品としてもよい。このとき、エンコーダ機構の代わりに、シャフトの回転方向および回転角度を検知するシャフト回転検知機構を用いる。シャフト回転検知機構は、例えば、エンコーダ機構と同様の構成である。
【００５２】
なお、本発明は、上述の実施形態に限定されず、添付の特許請求の範囲で規定される本発明の範囲を逸脱しない範囲で種々の変更を加えることが可能である。例えば、ケーシングは上記の実施形態に記載したものに限定されず、種々の公知のケーシングを用いることができる。
【符号の説明】
【００５３】
１  回転エンコーダ（回転式電子部品）
２  ケーシング
２２  側壁
２２ａ  孔部（スイッチ固定部）
２２ｂ  溝部（エンコーダ固定部）
２２ｃ  係止部
２３  突壁（エンコーダ固定部）
２４  突片（エンコーダ固定部）
３  シャフト
３０  歯車状の外周面
３１  凸部
３２  凹部
５  規制部材
５１  第１接点部
５２  第２接点部
６  エンコーダ機構（シャフト回転検知機構）
６０  エンコーダ基板
６１，６２，６３  抵抗体パターン
６０１，６０２，６０３  エンコーダ端子
６５  ロータ
６５１  長径部
６５２  短径部
６６  摺動子
７  スイッチ機構
７０  スイッチ基板
７１  導電体
７０１，７０２，７０３  スイッチ端子
【図１】
2016158657.tif 000003
【図２】
2016158657.tif 000004
【図３】
2016158657.tif 000005
【図４】
2016158657.tif 000006
【図５】
2016158657.tif 000007
【図６】
2016158657.tif 000008
【図７】
2016158657.tif 000009
【図８】
2016158657.tif 000010
【図９】
2016158657.tif 000011
【手続補正書】
【提出日】平成29年9月14日(2017.9.14)
【手続補正１】
【補正対象書類名】明細書
【補正対象項目名】０００７
【補正方法】変更
【補正の内容】
【０００７】
前記の課題を解決するため、本発明の回転式電子部品は、
シャフトと、
前記シャフトを回転可能および上下移動可能に挿通状態で保持するとともに、前記シャフトの回転方向および回転角度を検知するシャフト回転検知機構であって、前記シャフトと一体的に回転可能に前記シャフトに取り付けられたロータと、該ロータに取り付けられた摺動子と、該摺動子が摺接する固定接点部材を有する該シャフト回転検知機構と、
少なくとも１つの隔離壁を挟んで前記固定接点部材とは反対側に設けられ、前記シャフトの回転角度を規制する規制部材と、
前記シャフト回転検知機構に挿通された前記シャフトの端部により押圧されるスイッチ機構とを有することを特徴とする。
【手続補正２】
【補正対象書類名】明細書
【補正対象項目名】０００８
【補正方法】変更
【補正の内容】
【０００８】
本発明の回転式電子部品によれば、シャフトの回転角度を規制する規制部材から摩耗粉が発生したとしても、規制部材が、少なくとも１つの隔離壁を挟んで前記固定接点部材とは反対側に設けられているので、隔離壁が摩耗粉の侵入を防止することができる。これにより、摩耗粉が電極パターンと摺動子との接触を阻害することを防止できるので、回転式電子部品の電気特性の悪化を防止することができる。
【手続補正３】
【補正対象書類名】明細書
【補正対象項目名】０００９
【補正方法】変更
【補正の内容】
【０００９】
また、本発明の回転エンコーダは、
シャフトと、
前記シャフトを回転可能および上下移動可能に挿通状態で保持するとともに、前記シャフトの回転方向および回転角度を検知するエンコーダ機構であって、前記シャフトと一体的に回転可能に前記シャフトに取り付けられたロータと、該ロータに取り付けられた摺動子と、該摺動子が摺接する固定接点部材を有する該エンコーダ機構と、
少なくとも１つの隔離壁を挟んで前記固定接点部材とは反対側に設けられ、前記シャフトの回転角度を規制する規制部材と、
前記エンコーダ機構に挿通された前記シャフトの端部により押圧されるスイッチ機構とを有することを特徴とする。
【手続補正４】
【補正対象書類名】明細書
【補正対象項目名】００１０
【補正方法】変更
【補正の内容】
【００１０】
本発明の回転エンコーダによれば、シャフトの回転角度を規制する規制部材から摩耗粉が発生したとしても、規制部材が、少なくとも１つの隔離壁を挟んで前記固定接点部材とは反対側に設けられているので、隔離壁が摩耗粉の侵入を防止することができる。これにより、摩耗粉が電極パターンと摺動子との接触を阻害することを防止できるので、エンコーダの電気特性の悪化を防止することができる。
【手続補正５】
【補正対象書類名】明細書
【補正対象項目名】００１５
【補正方法】変更
【補正の内容】
【００１５】
以下、本発明を図面を参照してより詳細に説明する。
本発明の回転式電子部品は、シャフトと、前記シャフトを回転可能および上下移動可能に挿通状態で保持するとともに、前記シャフトの回転方向および回転角度を検知するシャフト回転検知機構であって、前記シャフトと一体的に回転可能に前記シャフトに取り付けられたロータと、該ロータに取り付けられた摺動子と、該摺動子が摺接する固定接点部材を有する該シャフト回転検知機構と、少なくとも１つの隔離壁を挟んで前記固定接点部材とは反対側に設けられ、前記シャフトの回転角度を規制する規制部材と、前記シャフト回転検知機構に挿通された前記シャフトの端部により押圧されるスイッチ機構とを有することを特徴とするものである。
【手続補正６】
【補正対象書類名】明細書
【補正対象項目名】００３１
【補正方法】変更
【補正の内容】
【００３１】
摺動子６６は、例えば、金属から構成される。摺動子６６は、ロータ６５の上面の２つの突部６５ｂに固定される。摺動子６６は、環状に形成される。摺動子６６は、第１接点部６６１と第２接点部６６２と第３接点部６６３とを有する。第１接点部６６１と第２接点部６６２と第３接点部６６３とは、径方向の外側から内側に順に配置されている。第１接点部６６１と第２接点部６６２と第３接点部６６３とは、導通している。第１接点部６６１は、第１抵抗体パターン６１に接触可能となり、第２接点部６６２は、第２抵抗体パターン６２に接触可能となり、第３接点部６６３は、第３抵抗体パターン６３に接触可能となる。
【手続補正７】
【補正対象書類名】明細書
【補正対象項目名】００３８
【補正方法】変更
【補正の内容】
【００３８】
導電体７１の周縁部分７１ａは、第１、第２スイッチ端子７０１，７０２に電気的に接続されている。導電体７１の天頂部分７１ｂは、導電体７１の自由状態で、第３スイッチ端子７０３から離隔する一方、エンコーダ機構６を貫通したシャフト３の端部３６に押圧されて第３スイッチ端子７０３に電気的に接続される。
【国際調査報告】
2016158657.tif 000012
2016158657.tif 000013
2016158657.tif 000014
2016158657.tif 000015